(57)【特許請求の範囲】
【請求項１】
左右の縁の少なくとも一方に左右方向の外方に突出する被係止部が形成された平型電線が前方から挿入可能なコネクタにおいて、
左右方向に並ぶ複数の端子と、
前記複数の端子に対して左右方向の外方に位置する金属で形成されている補強金具と、
樹脂によって形成され、前記複数の端子と前記補強金具とを保持するハウジングと、を備え、
前記ハウジングは、前記平型電線が接続された時に前記被係止部が配置される位置の前方で立つ係止凸部を有し、
前記補強金具は、前記係止凸部に沿って立つとともに当該係止凸部に対して左右方向の外方に位置する補強凸部を有し、
後方に向いた前記係止凸部の後面は、前記補強凸部の後面よりも後方に位置し、
前記補強凸部の後面は、前記平型電線の前記被係止部が当たらないように上方且つ前方に伸びている、
ことを特徴とするコネクタ。
【請求項２】
請求項１に記載のコネクタにおいて、
前記係止凸部と前記補強凸部との間には隙間が設けられている、
ことを特徴とするコネクタ。
【請求項３】
請求項１に記載のコネクタにおいて、
前記ハウジングは、前記平型電線が接続された時に前記被係止部の下方に位置する下壁部を有し、
前記平型電線と接触する前記複数の端子の接点は、前記下壁部の右方向又は左方向に位置し、且つ、前記ハウジングの前記下壁部の上面より高い位置に位置している、
ことを特徴とするコネクタ。
【請求項４】
左右の縁の少なくとも一方に左右方向の外方に突出する被係止部が形成された平型電線と、前記平型電線が接続されるコネクタと、を備えるケーブルアッセンブリにおいて、
前記コネクタは、
左右方向に並ぶ複数の端子と、
前記複数の端子に対して左右方向の外方に位置する金属で形成されている補強金具と、
樹脂によって形成され、前記複数の端子と前記補強金具とを保持するハウジングと、を備え、
前記ハウジングは、前記平型電線が接続された時に前記被係止部が配置される位置の前方で立つ係止凸部を有し、
前記補強金具は、前記係止凸部に沿って立つとともに当該係止凸部に対して左右方向の外方に位置する補強凸部を有し、
後方に向いた前記係止凸部の後面は、前記補強凸部の後面よりも後方に位置し、
前記補強凸部の後面は、前記平型電線の前記被係止部が当たらないように上方且つ前方に伸びている、
ことを特徴とするケーブルアッセンブリ。
【請求項５】
請求項４に記載のケーブルアッセンブリにおいて、
前記平型電線の前記被係止部の縁に、前記平型電線が前方に移動する時に前記係止凸部に対して当る前縁が形成され、
前記前縁が前記係止凸部に対して当る方向は、前方且つ左右方向の外方に向いている、
ことを特徴とするケーブルアッセンブリ。
【請求項６】
請求項５に記載のケーブルアッセンブリにおいて、
前記平型電線の前記少なくとも一方の縁には、前記被係止部より前方に位置し、円弧状の縁を有する凹部が形成され、
前記平型電線に形成された前記被係止部の前記前縁は、前記凹部の縁から伸びている、
ことを特徴とするケーブルアッセンブリ。
【請求項７】
請求項５に記載のケーブルアッセンブリにおいて、
前記補強凸部と前記係止凸部との間には隙間が設けられている、
ことを特徴とするケーブルアッセンブリ。
【発明の詳細な説明】
【技術分野】
【０００１】
本発明は、平型電線の抜けを防止する機能を有するコネクタ、及び、ケーブルアッセンブリに関し、特に、平型電線が強く引っ張られた時の平型電線の損傷を防止する技術に関する。
【背景技術】
【０００２】
従来、ＦＰＣ（Ｆｌｅｘｉｂｌｅ  Ｐｒｉｎｔｅｄ  Ｃｉｒｃｕｉｔｓ）やＦＦＣ（Ｆｌｅｘｉｂｌｅ  Ｆｌａｔ  Ｃａｂｌｅ）などの平型電線が接続されるコネクタが利用されている。この種のコネクタは、左右方向に並ぶ複数の端子と、これらの端子を収容する、樹脂によって形成されたハウジングとを有している。特許文献１に開示されるコネクタは、複数の端子の左右に、金属によって形成される補強金具を有している。このコネクタは、端子だけでなく補強金具も回路基板に半田付けされているため、回路基板への取付強度が増している。
【０００３】
特許文献１では、平型電線の左右の縁に凸部が形成され、この凸部がコネクタに引っ掛かっている。詳細には、補強金具の上縁に凹部が形成され、平型電線がコネクタに接続された時には、この凹部の内側に平型電線の凸部が配置される。平型電線をコネクタから引き抜こうとする力が作用した場合には、平型電線の凸部が補強金具に引っ掛かることによって、平型電線の抜けが阻止される。
【先行技術文献】
【特許文献】
【０００４】
【特許文献１】特許４２１５２６５号
【発明の概要】
【発明が解決しようとする課題】
【０００５】
しかしながら、上記特許文献１では、補強金具は金属によって形成され、平型電線は樹脂によって形成されているため、平型電線が引っ張られた時に平型電線の凸部が変形しやすいという問題があった。
【０００６】
この点、補強金具に替えて、樹脂によって形成されたハウジングによって、平型電線の抜けを防止する構造が考えられる。しかしながら、そのような構造では、平型電線が引っ張られた時に、ハウジングの、平型電線の凸部が当る部分が変形するという問題が生じる。
【０００７】
本発明は、平型電線のコネクタからの抜けを防止するとともに、ハウジングや平型電線の変形を抑制できるコネクタ及び、コネクタと平型電線とを含むケーブルアッセンブリを提供することにある。
【課題を解決するための手段】
【０００８】
上記課題を解決するために、本発明に係るコネクタは、左右の縁の少なくとも一方に左右方向の外方に突出する被係止部が形成された平型電線が前方から挿入可能なコネクタである。前記コネクタは、左右方向に並ぶ複数の端子と、前記複数の端子に対して左右方向の外方に位置する補強金具と、樹脂によって形成され、前記複数の端子と前記補強金具とを保持するハウジングと、を備える。前記ハウジングは、前記平型電線が接続された時に前記被係止部が配置される位置の前方で立つ係止凸部を有する。前記補強金具は、前記係止凸部に沿って立つとともに前記係止凸部に対して左右方向の外方に位置する補強凸部を有する。後方に向いた前記係止凸部の後面は前記補強凸部の後面よりも後方に位置する。前記補強凸部の後面は上方且つ前方に伸びるよう形成されている。
【０００９】
また、上記課題を解決するために、本発明に係るケーブルアッセンブリは、左右の縁の少なくとも一方に左右方向の外方に突出する被係止部が形成された平型電線と、前記平型電線が接続されるコネクタと、を備える。前記コネクタは、左右方向に並ぶ複数の端子と、前記複数の端子に対して左右方向の外方に位置する補強金具と、樹脂によって形成され、前記複数の端子と前記補強金具とを保持するハウジングと、を備える。前記ハウジングは、前記平型電線が接続された時に前記被係止部が配置される位置の前方で立つ係止凸部を有する。前記補強金具は、前記係止凸部に沿って立つとともに左右方向において前記係止凸部の外方に位置する補強凸部を有する。後方に向いた前記係止凸部の後面は前記補強凸部の後面よりも後方に位置する。前記補強凸部の後面は上方且つ前方に伸びるよう形成されている。
【００１０】
本発明によれば、平型電線の挿入方向である後方に向いた係止凸部の後面は補強凸部の後面よりも後方に位置する。そのため、平型電線が前方に引っ張られた時、平型電線の被係止部は係止凸部に当り、平型電線が抜け止めされる。また、ハウジングは樹脂によって形成されている。そのため、平型電線を補強金具によって抜け止めする場合に比べて、平型電線の被係止部の変形を抑制できる。また、補強凸部が係止凸部に沿って立っているので、係止凸部の変形を制限できる。さらに、補強凸部の後面は、上方且つ前方に伸びるよう形成されているので、補強凸部の強度を確保しつつ、被係止部が補強凸部に当ることを確実に防止できる。なお、前記コネクタにおいて示される方向（すなわち、左右方向、前方、及び後方）は、各部の相対的な位置関係を示すための方向であり、コネクタ全体の姿勢を規定する絶対的な方向を示すものではない。そのため、使用時のコネクタについて上記方向を解釈しようとする場合、上記方向はコネクタの姿勢に応じて適宜変更して解釈される必要がある。
【００１１】
本発明に係るコネクタの一態様では、前記係止凸部と前記補強凸部との間には隙間が設けられてもよい。この態様によれば、平型電線の被係止部が、ハウジングの係止凸部に当った時に、係止凸部の僅かな動きが許容される。その結果、平型電線の被係止部が変形することを、さらに効果的に抑制できる。
【００１２】
また、本発明に係るコネクタの一態様では、前記ハウジングは、前記平型電線が接続された時に前記被係止部の下方に位置する下壁部を有してもよい。また、前記平型電線と接触する前記複数の端子の接点は、前記下壁部の右方向又は左方向に位置し、且つ、前記ハウジングの前記下壁部の上面より高い位置に位置してもよい。この態様によれば、平型電線が端子の接点によって高い位置で支持され得る。その結果、平型電線が引っ張られた時に、平型電線の被係止部が、ハウジングの係止凸部を乗り越えやすくなる。
【００１３】
また、本発明に係るケーブルアッセンブリの一態様では、前記被係止部の縁は、前記平型電線が前方に移動する時に前記係止凸部に対して当る前縁を有し、前記前縁が前記係止凸部に対して当る方向は、前方且つ左右方向の外方に向いてもよい。この態様によれば、平型電線が前方に引っ張られた時に、ハウジングの係止凸部に対して、当該係止凸部を左右方向の外方に押し広げようとする力が作用する。補強凸部は左右方向において係止凸部の外方に位置しているので、平型電線から受ける力に起因する係止凸部の動きを制限できる。
【００１４】
また、ケーブルアッセンブリのこの態様では、前記平型電線の前記少なくとも一方の縁には、前記被係止部より前方に位置し、円弧状の縁を有する凹部が形成されてもよい。そして、前記平型電線に形成された前記被係止部の前縁は前記凹部の縁から伸びてもよい。これによって、被係止部の前縁が係止凸部に当った時に、被係止部に生じる応力が凹部の縁に分散するので、被係止部の破損を抑制できる。
【００１５】
また、ケーブルアッセンブリのこの態様では、前記補強凸部と前記係止凸部との間には隙間が設けられてもよい。平型電線の被係止部が、ハウジングの係止凸部に当った時に、係止凸部の僅かな動きが許容される。その結果、平型電線の被係止部が変形することを、さらに効果的に抑制できる。
【図面の簡単な説明】
【００１６】
【図１】本発明の実施形態に係るケーブルアッセンブリが有するコネクタと平型電線の斜視図である。
【図２】上記ケーブルアッセンブリの斜視図である。同図には上記平型電線が上記コネクタに挿入された状態が示されている。
【図３】図１に示すＩＩＩ−ＩＩＩ線での上記コネクタの断面図である。同図には上記コネクタが有する後接続端子が示されている。
【図４】図１に示すＩＶ−ＩＶ線での上記コネクタの断面図である。同図には上記コネクタが有する前接続端子が示されている。
【図５】上記コネクタの側面図である。
【図６】上記コネクタ及び平型電線の拡大斜視図である。
【図７】上記コネクタ及び平型電線の拡大側面図である。
【図８】上記コネクタ及び平型電線の拡大平面図である。
【発明を実施するための形態】
【００１７】
以下、本発明の一実施形態について図面を参照しながら説明する。図１は本発明の実施形態の例であるケーブルアッセンブリ１が有するコネクタ２と平型電線９の斜視図である。図２はケーブルアッセンブリ１の斜視図であり、同図には平型電線９がコネクタ２に挿入された状態が示されている。図３は図１に示すＩＩＩ−ＩＩＩ線でのコネクタ２の断面図であり、同図にはコネクタ２が有する後接続端子４が示されている。図４は図１に示すＩＶ−ＩＶ線でのコネクタ２の断面図であり、同図にはコネクタ２が有する前接続端子５が示されている。図５はコネクタ２の側面図である。図６はコネクタ２及び平型電線９の拡大斜視図である。図７はコネクタ２及び平型電線９の拡大側面図である。図８はコネクタ２及び平型電線９の拡大平面図である。
【００１８】
図１に示すように、ケーブルアッセンブリ１は平型電線９と、当該平型電線９が前方から挿入可能なコネクタ２と有している。
【００１９】
平型電線９は、ＦＰＣ（Ｆｌｅｘｉｂｌｅ  Ｐｒｉｎｔｅｄ  Ｃｉｒｃｕｉｔｓ）やＦＦＣ（Ｆｌｅｘｉｂｌｅ  Ｆｌａｔ  Ｃａｂｌｅ）であり、可撓性を有している。平型電線９は、ポリイミドなどの樹脂によって形成されたベースフィルムと、ベースフィルム上に形成された複数の導体路とを有している。平型電線９の左右の縁には、左右方向（Ｘ１−Ｘ２の示す方向）の外方に突出する、平たい板状の被係止凸部９１が形成されている。被係止凸部９１は平型電線９の先端部の左右に位置している。平型電線９の先端部がコネクタ２に挿入される（図２参照）。この例では、被係止凸部９１は、平型電線９の長さ方向の縁９ａより僅かに前方に位置している。なお、被係止凸部９１は、縁９ａの両端部に形成されてもよい。
【００２０】
図１に示すように、コネクタ２は、左右方向に並ぶ複数の端子４，５と、これらの端子４，５を保持するとともに平型電線９の先端部が挿入可能なハウジング３とを有している。この例では、コネクタ２は、前接続端子５と、後接続端子４からなる２種類の端子を有している。後接続端子４と前接続端子５は交互に並んでいる。
【００２１】
図３に示すように、後接続端子４は、その最後部に、コネクタ２がその使用時に載置される回路基板（不図示）に半田付けされる接続部４１を有している。また、後接続端子４は、基部４２から前方（Ｙ１の示す方向）に伸びる上ビーム４３と下ビーム４４とを有している。平型電線９の先端部は、この上ビーム４３と下ビーム４４との間に前方から挿入される。この例では、平型電線９の下面に導体路（不図示）が形成され、下ビーム４４の先端に、平型電線９の導体路と接触する接触部４４ａが形成されている。なお、後接続端子４はハウジング３に対して後方から圧入されている。
【００２２】
図４に示すように、前接続端子５は、その最前部に、コネクタ２の使用時に回路基板に半田付けされる接続部５１を有している。また、前接続端子５は、当該前接続端子５の最後部に位置する基部５２から、それぞれ前方に伸びる上ビーム５３と下ビーム５４とを有している。上ビーム５３と下ビーム５４との間に、平型電線９の先端部が前方から挿入される。この例では、後接続端子４と同様に、下ビーム５４の先端に接触部５４ａが形成されている。接触部５４ａが平型電線９の導体路と接触することによって、前接続端子５と平型電線９とが電気的に繋がる。また、前接続端子５は、基部５２から、下ビーム５４の下方で前方に伸びる底延伸部５５を有している。接続部５１は底延伸部５５の最前部に形成されている。前接続端子５は、ハウジング３に対して前方から圧入されている。なお、上述した後接続端子４の接触部４４ａは、前接続端子５の接触部５４ａより前方に位置している（図４参照）。
【００２３】
図１に示すように、コネクタ２は、その前部に、平型電線９をロックするためのアクチュエータ６を有している。図３及び図４に示すように、アクチュエータ６には、前接続端子５の上ビーム５３が嵌る孔６１と、後接続端子４の上ビーム４３が嵌る凹部６２とが形成されている。孔６１には、上ビーム５３の先端の下方に位置し、当該先端に形成された鉤部５３ａに引っ掛かるカム部６４が形成されている。アクチュエータ６はカム部６４を中心にして、前方或いは後方に回転可能となっている。すなわち、アクチュエータ６は、ロック位置（図３及び図４において二点差線で示すアクチュエータ６の位置）と、解除位置（図３及び図４において実線で示すアクチュエータ６の位置）との間で、カム部６４を中心にして回転する。ロック位置では、アクチュエータ６は、挿入された平型電線９上に位置し、平型電線９を下ビーム４４，５４に押さえ付ける。解除位置では、アクチュエータ６は上ビーム４３，５３の上方で立つように配置される。その結果、コネクタ２への平型電線９の挿入が可能となる。
【００２４】
図１に示すように、コネクタ２は、複数の端子４，５に対して左右方向の外方に位置する左右の補強金具７を有している。補強金具７は金属によって形成されている。例えば、補強金具７は板金加工によって形成される。この例では、補強金具７は、前後方向（Ｙ１−Ｙ２の示す方向）に細長い板状の部材である。補強金具７は、その一方の面が左右方向の外方に向くように配置されている。図５に示すように、補強金具７は、その後端部に、細長い差し込み部７５を有している。差し込み部７５は前方からハウジング３の右側部分及び左側部分に圧入される。これによって補強金具７はハウジング３によって保持される。また、補強金具７は、その最前部の下縁に、固定部７１を有している。コネクタ２の使用時には、固定部７１は、回路基板に半田付けされる。
【００２５】
ハウジング３は、補強金具７を構成する金属より変形し易い、プラスチックなどの樹脂によって成型されている。ハウジング３は前方（Ｙ１の示す方向）に開いた箱状に形成されている。また、ハウジング３の内側には、各端子４，５が圧入される複数の溝が形成されている。
【００２６】
図１に示すように、ハウジング３は、その右側部分及び左側部分に、前方に伸びるように形成された内壁部３１を有している。内壁部３１は、平型電線９が接続された時には、当該平型電線９の左右の縁に沿うように形成されている。内壁部３１は、平型電線９の接続時に、平型電線９の左右の縁に形成された被係止凸部９１の下方に位置する下壁部３２を有している。
【００２７】
ハウジング３は、挿入された平型電線９が前方（挿入方向と反対方向）に引っ張られた時に、平型電線９の抜けを防止する機能を有している。詳細には、図６に示すように、内壁部３１は、その最前部に、係止凸部３３を有している。係止凸部３３は、下壁部３２の前方に位置し（図１参照）、当該下壁部３２の前方で上方（Ｚ１の示す方向）に突出している。係止凸部３３は、平型電線９の左右に位置し、且つ、被係止凸部９１が配置される位置の前方で立つように形成されている。換言すると、係止凸部３３は、被係止凸部９１に対して、平型電線９の挿入方向とは反対方向に位置している。平型電線９が前方に引っ張られた時には、被係止凸部９１は係止凸部３３に当り、前方への移動が規制される。これによって平型電線９の抜けが防止される。例えば、アクチュエータ６が解除位置に配置された状態において、平型電線９の抜けが防止される。
【００２８】
図７に示すように、係止凸部３３の後面３３ａは、真っ直ぐ後方（平型電線９の挿入方向（Ｙ２の示す方向））に向いている。すなわち、後面３３ａの垂直線は、前後方向（Ｙ１−Ｙ２の示す方向）と実質的に平行となっている。また、この例では、下壁部３２の上面３２ａは水平面と平行に形成され、後面３３ａは上面３２ａに対して直角に形成されている。
【００２９】
なお、図６に示すように、アクチュエータ６の左右の端部には、凸部６３が形成されている。この凸部６３は、アクチュエータ６がロック位置に配置された時に、上述した下壁部３２と、後述する補強金具７の下壁部７２の上方に位置する。平型電線９がコネクタ２に挿入され、アクチュエータ６がロック位置に配置された時には、凸部６３は被係止凸部９１を下壁部３２，７２に向けて押す。その結果、平型電線９の抜けがさらに効果的に防止される。
【００３０】
また、内壁部３１は、下壁部３２の後方で上方に突出する後壁部３４を有している。この後壁部３４と下壁部３２と係止凸部３３とによって、被係止凸部９１が内側に配置される凹部が形成されている。
【００３１】
図８に示すように、平型電線９の被係止凸部９１は、平型電線９が引っ張られた時に、係止凸部３３に当る前縁９１ａを有している。前縁９１ａは、係止凸部３３に対して斜めに当るように形成されている。この例では、前縁９１ａは、その端部に、緩やかに湾曲する湾曲縁９１ｂを有している。平型電線９が引っ張られた時には、この湾曲縁９１ｂが係止凸部３３に当る。そして、湾曲縁９１ｂが係止凸部３３に当る方向（図８においてＤの示す方向）は、前方且つ左右方向の外方に向いている。すなわち、湾曲縁９１ｂの接線と鉛直方向（Ｚ１−Ｚ２の示す方向）とに直交する方向は、前方且つ左右方向の外方に向いている。係止凸部３３は、平面視において四角い柱状である。平型電線９が引っ張られた時には、湾曲縁９１ｂは係止凸部３３の角（後面３３ａの内側の縁）３３ｃに当り、前縁９１ａは後面３３ａから離れている。
【００３２】
図８に示すように、平型電線９の左右の縁には、円弧状の縁を有する凹部９２が形成されている。この凹部９２は被係止凸部９１の前方に位置している。前縁９１ａ（この例では湾曲縁９１ｂ）は凹部９２の縁から伸びている。これによって、被係止凸部９１の前縁９１ａが係止凸部３３に当った時、被係止凸部９１に生じる応力が凹部９２の縁に分散するので、被係止凸部９１の破損が抑制され得る。つまり、前縁９１ａと平型電線９の左右の縁との境で、平型電線９の縁が屈曲している場合には、その屈曲した部分に応力が集中する。この例のように、左右の縁に、円弧状の縁を有する凹部９２が形成されることによって、そのような応力の集中を回避できる。
【００３３】
上述したように、平型電線９が前方に引っ張られた時、湾曲縁９１ｂは係止凸部３３に対して斜めに当る。そのため、係止凸部３３に対しては、当該係止凸部３３を左右方向の外方に押し広げようとする力、及び／又は、係止凸部３３を回転させようとする力が作用する。つまり、湾曲縁９１ｂが係止凸部３３に当った時に係止凸部３３が受ける力は、湾曲縁９１ｂが係止凸部３３に当る方向Ｄに向いているため、係止凸部３３に対して斜めに作用する。その結果、この力は、係止凸部３３を左右方向の外方に押し広げようとする。また、この力が作用する位置（この例では、角３３ｃ）は、係止凸部３３の中心からずれているため、この力によって係止凸部３３をねじる力（係止凸部３３を左右方向の外方に回転させようとする力）も発生する。
【００３４】
図１に示すように、補強金具７は、ハウジング３の内壁部３１に対して左右方向の外方に位置し、且つ、内壁部３１に隣接している。この例では、ハウジング３の左右の外壁部３５と、内壁部３１との間に、後方に延伸する孔が形成されている。補強金具７の差し込み部７５はこの孔に差し込まれている（図５参照）。
【００３５】
図６に示すように、補強金具７は、平型電線９の接続時に、被係止凸部９１の下方に位置する下壁部７２を有している。また、補強金具７は、その最前部に、補強凸部７３を有している。補強凸部７３は、下壁部７２の前方で上方に突出し、ハウジング３の係止凸部３３に沿って立っている。この例では、被係止凸部９１は、ハウジング３の下壁部３２を越えて左右方向の外方に広がっている。そのため、平型電線９の接続時には、補強凸部７３は被係止凸部９１の前方で立つ。すなわち、補強凸部７３は、被係止凸部９１に対して、平型電線９の挿入方向とは反対方向に位置する。
【００３６】
上述したように、被係止凸部９１が係止凸部３３に当った時には、係止凸部３３を押し広げようとする力、或いは、係止凸部３３を回転させようとする力が発生する。補強凸部７３は、係止凸部３３に隣接し、そのような力に起因する係止凸部３３の動きを制限する。なお、図６又は図７に示すように、補強金具７は、下壁部７２の後方で上方に突出する後壁部７４を有している。この後壁部７４と下壁部７２と補強凸部７３とによって、被係止凸部９１が内側に配置される凹部が形成されている。
【００３７】
図８に示すように、係止凸部３３と補強凸部７３との間には、僅かな隙間Ｇが設けられている。そのため、被係止凸部９１から受ける力に起因する係止凸部３３の僅かな動きは許容されている。すなわち、係止凸部３３が被係止凸部９１から力を受けて左右方向の外方に移動或いは回転し、補強凸部７３に当った時、補強凸部７３は、係止凸部３３の更なる移動及び回転を規制する。
【００３８】
図７に示すように、平型電線９の挿入方向（すなわち、後方）に向いた係止凸部３３の後面３３ａは、補強凸部７３の後面７３ａよりも後方に位置している。すなわち、係止凸部３３の後面３３ａは、補強凸部７３の後面７３ａよりも、被係止凸部９１が配置される位置に近い。そのため、平型電線９が前方に引っ張られた時、被係止凸部９１は、係止凸部３３の後面３３ａに当たり、補強凸部７３の後面７３ａには当らない。
【００３９】
また、図７に示すように、補強凸部７３の後面７３ａは、下壁部７２から上方且つ前方に伸びるように形成されている。換言すると、後面７３ａは、上方に行くにしたがって、被係止凸部９１が配置される位置からの距離が大きくなるように形成されている。この例では、後面７３ａは前方に傾斜した平面である。これによって、補強凸部７３の強度を確保しつつ、補強凸部７３が被係止凸部９１に当ることを確実に防止できる。つまり、後面７３ａを垂直に形成した場合、後面７３ａが被係止凸部９１に当ることを防止するためには、後面７３ａの全体を前方に位置させる必要がある。そうすると、補強凸部７３の前後方向の幅が小さくなるため、補強凸部７３の強度を確保することが難しくなる。この例では、後面７３ａが傾斜しているので、補強凸部７３の基部の前後方向における幅を十分に確保できる。その結果、補強凸部７３の強度を確保しつつ、補強凸部７３が被係止凸部９１に当ることを確実に防止できる。また、多くの場合、平型電線９が引っ張られる方向は、前方且つ上方になる。そのため、平型電線９が引っ張られた時、被係止凸部９１の位置は前方且つ上方に動く。コネクタ２では、補強凸部７３の後面７３ａは、上方に行くにしたがって、被係止凸部９１が配置される位置からの距離が大きくなるように形成されているので、後面７３ａが被係止凸部９１に当ることを確実に防止できる。なお、この例では、図７に示すように、補強凸部７３の後面７３ａの上縁と、当該補強凸部７３の前面７３ｂとの距離Ｌ２は、補強凸部７３の後面７３ａの下縁と、補強凸部７３の前面７３ｂとの距離Ｌ１の半分より大きくなっている。
【００４０】
また、図７に示すように、補強凸部７３の前面７３ｂは、係止凸部３３の前面３３ｂよりも後方に位置している。そのため、補強凸部７３の前後方向の幅（具体的にはＬ１）は、係止凸部３３の前後方向の幅Ｌ３よりも小さくなっている。また、補強凸部７３の後面７３ａの下縁と、補強凸部７３の前面７３ｂとの距離Ｌ１は、ハウジング３の係止凸部３３の前後方向の幅Ｌ３の半分より大きくなっている。また、図８に示すように、左右方向における係止凸部３３の幅は、補強凸部７３の幅よりも大きくなっている。
【００４１】
上述したように、後接続端子４の下ビーム４４は、その先端に、接触部４４ａを有している。図１及び図７に示すように、接触部４４ａは、ハウジング３の下壁部３２及び補強金具７の下壁部７２に対して、右方向又は左方向に位置している。すなわち、前後方向においては、接触部４４ａは、下壁部３２，７２と概ね同じ位置に位置している。また、図７に示すように、接触部４４ａは、下壁部３２の上面３２ａ、及び下壁部７２の上面７２ａよりも高い位置に位置している。そのため、アクチュエータ６が解除位置にある時には、平型電線９の先端部は、被係止凸部９１が上面３２ａ，７２ａから浮いた状態で、接触部４４ａによって支持される。その結果、平型電線９が強く引っ張られた時に、被係止凸部９１が係止凸部３３を乗り越えやすくなっている。
【００４２】
以上説明したように、コネクタ２のハウジング３は平型電線９が接続された時に被係止凸部９１が配置される位置の前方で立つ係止凸部３３を有している。また、補強金具７は、係止凸部３３に沿って立つとともに係止凸部３３に対して左右方向の外方に位置する補強凸部７３を有している。さらに、係止凸部３３の後面３３ａは、補強凸部７３の後面７３ａよりも後方に位置している。また、補強凸部７３の後面７３ａは、上方且つ前方に伸びるよう形成されている。
【００４３】
このように、係止凸部３３の後面３３ａは、補強凸部７３の後面７３ａよりも後方に位置しているので、樹脂によって形成されたハウジング３によって平型電線９の抜けが防止され得る。その結果、平型電線９の被係止凸部９１の変形が抑制され得る。また、補強凸部７３が係止凸部３３に沿って立っているので、係止凸部３３の変形が制限され得る。さらに、補強凸部７３の後面７３ａは上方且つ前方に伸びるように形成されているので、補強凸部７３の強度が確保され、尚かつ、補強凸部７３が被係止凸部９１に当ることが確実に防止され得る。
【００４４】
なお、本発明は以上説明したケーブルアッセンブリ１及びコネクタ２に限られず、種々の変更が可能である。例えば、コネクタ２は２種類の端子４，５を有していた。しかしながら、コネクタ２は、いずれか一方の端子のみを有してもよい。
【００４５】
また、以上の説明では、被係止凸部９１は、ハウジング３の下壁部３２を越えて左右方向の外方に伸びていた。特に、以上の例では、被係止凸部９１の端部は、補強金具７の下壁部７２よりも左右方向の外方に位置していた。しかしながら、被係止凸部９１の端部は、下壁部３２上に位置してもよい。
【符号の説明】
【００４６】
１  ケーブルアッセンブリ、２  コネクタ、３  ハウジング、４  後接続端子、５  前接続端子、６  アクチュエータ、７  補強金具、９  平型電線、３１  内壁部、３２  下壁部、３２ａ  上面、３３  係止凸部、３３ａ  後面、３３ｂ  前面、３３ｃ  角、３４  後壁部、３５  外壁部、４１  接続部、４２  基部、４３  上ビーム、４４  下ビーム、４４ａ  接触部、５１  接続部、５２  基部、５３  上ビーム、５３ａ  鉤部、５４  下ビーム、５４ａ  接触部、５５  底延伸部、６１  孔、６２  凹部、６３  凸部、６４  カム部、７１  固定部、７２  下壁部、７２ａ  上面、７３  補強凸部、７３ａ  後面、７３ｂ  前面、７４  後壁部、７５  差し込み部、９１  被係止凸部、９１ａ  前縁、９１ｂ  湾曲縁、９２  凹部。
【図１】
0005580622.tif 000002
【図２】
0005580622.tif 000003
【図３】
0005580622.tif 000004
【図４】
0005580622.tif 000005
【図５】
0005580622.tif 000006
【図６】
0005580622.tif 000007
【図７】
0005580622.tif 000008
【図８】
0005580622.tif 000009